(57)【要約】【課題】従来構造を大きく変更することなく、切換開閉器の絶縁性能を向上させる。【解決手段】切換開閉器の絶縁基板の外周に、放射状に複数の切欠溝を形成する。切欠溝内に真空バルブを固定するＶＩ固定座の下部突出部を嵌め込み、絶縁基板と一体的に成形された埋込金具に皿ネジで螺合する。真空バルブはＶＩ固定座に、真空バルブ固定ボルトで締結することにより絶縁基板に固定する。切換開閉器を構成する支柱の前記絶縁基板の上面取付部位に、当該支柱の外周を覆う絶縁材料からなる隆起部を形成する。【選択図】        図１
2022003612.tif 000002
【特許請求の範囲】
【請求項１】
タップ切換器の切換開閉器において、該切換開閉器の絶縁基板に切欠溝を形成し、当該切欠溝内に、前記切換開閉器を構成する真空バルブを固定するＶＩ固定座の下部突出部を嵌め込み、当該下部突出部が前記切欠溝内に嵌め込まれた状態で、前記絶縁基板の上面に該ＶＩ固定座の天板部を当接し、該天板部から前記絶縁基板に対して皿ネジを螺合して当該ＶＩ固定座を前記絶縁基板に固定し、該ＶＩ固定座に前記真空バルブを固定するとともに、前記切換開閉器を構成する支柱の前記絶縁基板の上面取付部位に前記支柱の外周を覆う絶縁材料からなる隆起部を形成して構成したことを特徴とする真空バルブの固定構造。
【請求項２】
前記下部突出部は側方視、略円柱形状であることを特徴とする請求項１記載の真空バルブの固定構造。
【発明の詳細な説明】
【技術分野】
【０００１】
本発明は、真空バルブ式のタップ切換器を構成する切換開閉器において、真空バルブの固定座と切換開閉器の支柱間の絶縁性能を向上させることのできる技術に関する。
【背景技術】
【０００２】
配電線の電圧は、負荷の増減によって絶えず変動している。自動電圧調整器（以下、ＳＶＲという）は、高圧配電線に設置され、この電圧変動を抑制する機器である。
【０００３】
ＳＶＲは、電圧調整用タップ付き変圧器、タップ切換器、制御部から概略構成されており、あらかじめ整定された基準電圧との偏差を制御部が検知し、タップ切換器を動作させ、常に最適なタップ電圧に調整する機能を有している。
【０００４】
ＳＶＲのタップ切換器は、以前は絶縁油中で接点を切り換える方式を採用していたが、切り換え時に発生するアークにより絶縁油が汚損され、タップ切換動作が１０万回を超える１０年程度で絶縁油を取り換える必要があった。
【０００５】
この問題を解決するできるものとして、真空バルブ式のタップ切換器が存在する。当該タップ切換器は、真空バルブ内で接点を開閉するため絶縁油の汚損がなく、絶縁油の交換が不要となる（下記非特許文献１参照）。
【先行技術文献】
【特許文献】
【０００６】
【非特許文献１】愛知電機技報Ｎｏ．３６  ｐ３〜６  自動電圧調整器とアクチエータ  図３＿真空バルブ式タップ切換器
【０００７】
図３にＳＶＲに適用した真空バルブ式のタップ切換器の結線図を示す。タップ切換器は、概略、切換開閉器とタップ選択器から構成されており、前記真空バルブは切換開閉器の構成要素となる。
【０００８】
図４に切換開閉器における真空バルブの固定構造を示す。図４に示すように、真空バルブ１０１は、切換開閉器を構成する絶縁基板１０２上に固定される。真空バルブ１０１の側方には支柱１０３が取り付けられており、支柱１０３が絶縁基板１０２を貫いて、その下端部にナット１０４を螺着することによって絶縁基板１０２に固定される。ここで、支柱１０３はアース（接地）されている。
【０００９】
真空バルブ１０１の絶縁基板１０２への固定は、真空バルブ１０１下部に図示しない真空バルブ固定ボルトによって固定されたＶＩ固定座１０５を絶縁基板１０２に固定する方法によって行われている。
【００１０】
ＶＩ固定座１０５は絶縁基板１０２上面の窪み部１０６に嵌合する天板部１０７と、天板部１０７から下方へ突出する矩形部１０８から概略構成されている。
【００１１】
ＶＩ固定座１０５の矩形部１０８を絶縁基板１０２の切欠溝１０９に嵌め込み、天板部１０７を窪み部１０６に当接させた状態で、天板部１０７に形成したネジ孔１１０にＶＩ固定座締結ボルト１１１を絶縁基板１０２の下方から螺合することによって、ＶＩ固定座１０５を絶縁基板１０２に固定する。
【００１２】
なお、１１２はＶＩ固定座１０５の矩形部１０８に、図３に示すタップ選択器および限流抵抗器に接続したリード線を接続するためのリード線接続部を示している。矩形部１０８がリード線接続部を有するため、ＶＩ固定座１０５は充電部となる。
【００１３】
図５は前記ＶＩ固定座１０５の平面図である。図５に示す１１３はＶＩ固定座１０５を真空バルブ１０１下部に固定する図示しない真空バルブ固定ボルトを挿入するための真空バルブ固定孔を示している。
【００１４】
前記非特許文献１に示すタップ切換器はＳＶＲのタンク中に、絶縁油に浸漬した状態で取り付けられるため、図４に示す真空バルブ１０１と支柱１０３間も絶縁油によって満たされる。
【００１５】
ここで、支柱１０３は前述したとおり接地されており、ＶＩ固定座１０５との間の電位差が大きいので、電位差の小さい隣り合うＶＩ固定座間と比較して、支柱１０３とＶＩ固定座１０５間の絶縁性能は重要であり、ＶＩ固定座１０５と支柱１０３間は、この絶縁油と図４に示す絶縁基板１０２によって必要な絶縁性能が確保される。
【発明の概要】
【発明が解決しようとする課題】
【００１６】
然るに、図４に示す従来の真空バルブ固定構造を採用した場合、ＳＶＲを例えば、高い定格電圧で適用する場合、ＶＩ固定座１０５と支柱１０３間の絶縁性能に裕度が足らなくなる問題があった。
【００１７】
そこで、本発明は、真空バルブの固定構造を大きく変更することなく、ＶＩ固定座と支柱間の絶縁性能を向上させることのできる真空バルブの固定構造を提供するものである。
【課題を解決するための手段】
【００１８】
請求項１記載の発明は、タップ切換器の切換開閉器における真空バルブの固定構造であって、該切換開閉器の絶縁基板に切欠溝を形成し、当該切欠溝内に、前記切換開閉器を構成する真空バルブを固定するＶＩ固定座の下部突出部を嵌め込み、当該下部突出部が前記切欠溝内に嵌め込まれた状態で、前記絶縁基板の上面に該ＶＩ固定座の天板部を当接し、該天板部から前記絶縁基板に対して皿ネジを螺合して当該ＶＩ固定座を前記絶縁基板に固定して該ＶＩ固定座に前記真空バルブを固定するとともに、前記切換開閉器を構成する支柱の前記絶縁基板の上面取付部位に前記支柱の外周を覆う絶縁材料からなる隆起部を形成して構成したことに特徴を有する。
【００１９】
請求項２記載の発明は、請求項１記載の下部突出部を側方視、略円柱形状としたことに特徴を有する。
【発明の効果】
【００２０】
請求項１記載の発明によれば、ＶＩ固定座を絶縁基板に締結するボルトの頭部が絶縁基板下に位置しないので、支柱を絶縁基板に固定するナットとの間の絶縁性能を向上させることができるとともに、絶縁基板上において、ＶＩ固定座と支柱間の絶縁距離を拡大できるので、ＶＩ固定座と支柱間の絶縁性能を向上させることができる。
【００２１】
請求項２記載の発明によれば、ＶＩ固定座の下部突出部と支柱間の距離を拡大できるので、下部突出部と支柱間の絶縁性能を更に向上させることができる。
【図面の簡単な説明】
【００２２】
【図１】本発明に係る真空バルブの絶縁基板への固定構造を示す一部切欠側面図である。
【図２】本発明に係る真空バルブを絶縁基板へ固定するＶＩ固定座の平面図である。
【図３】タップ切換器をＳＶＲに適用した場合の結線図である。
【図４】従来の真空バルブの絶縁基板への固定構造を示す側面図である。
【図５】従来の真空バルブを絶縁基板へ固定するＶＩ固定座の平面図である。
【発明を実施するための形態】
【００２３】
以下、本発明の実施の形態を図１乃至図３により説明する。図１において、１は真空バルブ式のタップ切換器を構成する切換開閉器の絶縁基板であり、２は絶縁基板１の外周に放射状に複数形成した切欠溝を示している。
【００２４】
３は支柱であり、絶縁基板１上の絶縁材料からなる隆起部５内において絶縁基板１を貫通し、支柱３の下端部にナットを螺着することによって固定される。支柱３はアース（接地）されている。
【００２５】
６は絶縁基板１の上面から絶縁基板１に埋め込んだ埋込金具であり、７は絶縁基板１の切欠溝２を利用して当該絶縁基板１に固定されるＶＩ固定座、８はＶＩ固定座７に図示しない真空バルブ固定ボルト（例えば、六角穴付ボルト）によって固定される真空バルブを示している。
【００２６】
次に、前記ＶＩ固定座７を絶縁基板１に固定する方法について説明する。ＶＩ固定座７は絶縁基板１上面に当接する天板部９と、天板部９から下方へ突出する下部突出部１０から概略構成されている。
【００２７】
下部突出部１０は側方視で略円柱形状をなしており、天板部９が絶縁基板１上面に当接した状態で、絶縁基板１の切欠溝２内に嵌め込まれる。
【００２８】
この状態で、天板部９に形成したネジ孔１１から埋込金具５内にＶＩ固定座締結ボルト１２を螺合することによって、ＶＩ固定座７を絶縁基板１に固定する。
【００２９】
ここで、ＶＩ固定座締結ボルト１２は皿ネジであり、その頭部がＶＩ固定座７の天板部８の上面から突出することがないので、ＶＩ固定座７に取り付ける真空バルブ８と干渉することがない。
【００３０】
このようにしてＶＩ固定座７を絶縁基板１に取り付けることによって、ＶＩ固定座７に図示しない真空バルブ固定ボルトによって取り付けられた真空バルブ８を絶縁基板１に取り付けることができる。
【００３１】
なお、１３はＶＩ固定座７の下部突出部１０に、図３に示すタップ選択器および限流抵抗器に接続したリード線を接続するためのリード線接続部を示している。
【００３２】
図２は前記ＶＩ固定座７の平面図である。図２において、１４はＶＩ固定座７を真空バルブ８の下部に固定する、前述した図示しない真空バルブ固定ボルトを螺合する真空バルブ固定孔を示している。
【００３３】
図１に示す切換開閉器もＳＶＲのタンク中の絶縁油中に浸漬されるため、真空バルブ８と支柱３間に絶縁油が充填されている。
【００３４】
ＶＩ固定座７は充電部となるが、ＶＩ固定座７と支柱３間には絶縁油と絶縁基板１が存在するので絶縁される。
【００３５】
そして、図１に示すＶＩ固定座７の固定方法によれば、ＶＩ固定座締結ボルト１２の頭部が図４に示す場合と異なり、絶縁基板１下に位置することがないので、ＳＶＲを高い定格電圧で適用するような場合においても、ＶＩ固定座締結ボルト１２の頭部と支柱３間に充分な絶縁裕度を確保することができ、絶縁破壊が生じることはなく、所定の安全率も満たすことができる。
【００３６】
また、ＶＩ固定座７の下部突出部１０が側方視、略円柱形状をなしているので、図４に示すＶＩ固定座１０５の矩形部１０８と異なり、その角部が存在しないことから、支柱３との間の距離を拡大することができ、ＶＩ固定座７と支柱３間の絶縁性能を向上させることが可能となる。
【００３７】
さらに、支柱３が絶縁基板１の隆起部５によって周囲を囲まれるようにして取り付けられているので、ＶＩ固定座７と支柱３間の絶縁距離を拡大することができ、絶縁性能をより一層向上できる。
【００３８】
以上説明したように、本発明に係る真空バルブの固定構造によれば、従来の切換開閉器の構造を大きく変更することなく、ＶＩ固定座と支柱間の絶縁性能を確実に向上させることができる。
【産業上の利用可能性】
【００３９】
真空バルブ式のタップ切換器に適用可能である。
【符号の説明】
【００４０】
１，１０２  絶縁基板
２，１０９  切欠溝
３，１０３  支柱
４，１０４  ナット
５  隆起部
６  埋込金具
７，１０５  ＶＩ固定座
８，１０１  真空バルブ
９，１０７  天板部
１０  下部突出部
１１，１１０  天板部のネジ孔
１２，１１１  ＶＩ固定座締結ボルト
１３，１１２  リード線接続部
１４，１１３  真空バルブ固定孔
１０６  窪み部
１０８  矩形部
【図１】
2022003612.tif 000003
【図２】
2022003612.tif 000004
【図３】
2022003612.tif 000005
【図４】
2022003612.tif 000006
【図５】
2022003612.tif 000007